(57)【特許請求の範囲】
【請求項１】
選択された地理的エリア（１００）に位置する携帯電話をサービスする携帯ネットワークの容量を最適に利用すると共に、当該地理的エリア（１００）へ又は当該地理的エリアからのネットワークトラヒック、又は当該地理的エリアへ及び当該地理的エリアからの双方のネットワークトラヒックによって生じるヘビートラヒック負荷期間中に、ネットワークトラヒックを処理して当該携帯ネットワークの過負荷を防止する方法であって、
ａ）当該選択された地理的エリア（１００）並びに隣接エリアをサービスしている当該携帯ネットワークの最大ネットワーク容量（２００）の概要を確立するステップと、
ｂ）当該携帯ネットワークによってサービスされている当該選択された地理的エリア（１００）並びに隣接エリア内に位置付けられている携帯電話（３００）の識別結果の概要を確立し、さらに識別された前記携帯電話（３００）によって生じる可能な最大トラヒック負荷を決定する前記携帯電話（３００）の概要を確立するステップと、を含み：
ｃ）前記携帯ネットワークの現在のトラヒック負荷（４００）を監視すると共に、コール（音声）、ＳＭＳ及びデータストリーミングを行うために要求される帯域幅のネットワークデータアクティビティ（Ｄａｔａ  ａｃｔｉｖｉｔｙ）について異なる携帯サービスの各々の現在のトラヒック負荷を監視するステップと、
ｄ）ステップｂ）において識別された前記携帯電話（３００）へ又は前記携帯電話から、又は、前記携帯電話へ及び前記携帯電話からの双方における当該異なる携帯サービスのために、禁止が設定又は解除（５３０）される場合、禁止の決定、解除は、前記確立された最大ネットワーク容量（２００）、決定された可能な最大トラヒック負荷、及び現在監視されているトラヒック負荷（４００）に基づいて、決定するステップと、
ｅ）ステップｂ）において識別される前記携帯電話（３００）に対する当該異なる携帯サービスの1つ又は複数の禁止を設定（５５０）又は禁止を解除（５４０）し、特定の携帯電話に対する全てのネットワークサービスを遮断することなく、更にヘビーネットワーク負荷期間中に、前記携帯ネットワークに過負荷をかけることなく、前記携帯ネットワークの最大ネットワーク容量を利用するステップと、
ｆ）ステップｃ）からｅ）を繰り返すステップと、を有する方法。
【請求項２】
優先付けられている携帯電話（３００）は、禁止から除外（５２０）されることを特徴とする請求項１に記載の方法。
【請求項３】
当該選択されたエリア内に設けられた携帯電話に対する又は携帯電話から、又は携帯電話へ及び携帯電話からの双方に対して前記選択された禁止のタイプが実行されることを特徴とする請求項１に記載の方法。
【請求項４】
当該選択されたエリアに隣接するエリア内の携帯電話へ又は携帯電話から、又は携帯電話へ及び携帯電話からの双方に対して前記選択された禁止のタイプが実行されることを特徴とする請求項１に記載の方法。
【請求項５】
当該選択されたエリア内及び当該選択されたエリアに隣接するエリアの双方に位置付けられた携帯電話へ又は携帯電話から、又は携帯電話へ及び携帯電話からの双方に対して、前記選択された禁止のタイプが実行されることを特徴とする請求項１に記載の方法。
【請求項６】
前記選択されたエリア内の携帯電話は少なくとも二つのグループにグループ化され、ネットワークサービスは、タイムインターバル（ｔｉｍｅ  ｉｎｔｅｒｖａｌ）を設定した時間で１つのグループに対して禁止されることを特徴とする請求項３乃至５の何れか一項に記載の方法。
【請求項７】
ネットワークサービスの禁止はタイムインターバルによって設定された前記グループ間で循環して行われ、各グループは、ヘビーネットワーク負荷の期間内の限られた時間、ネットワークサービスにアクセスできることを特徴とする請求項６に記載の方法。
【請求項８】
携帯電話サービスの禁止されるタイプは、ＳＭＳ、音声及び／又はタイプの異なるデータであることを特徴とする請求項１乃至７の何れか一項に記載の方法。
【請求項９】
禁止される前記タイプの異なるデータは、ブラウジングなど低い帯域幅を要求するサービス及び／又はビデオ及び音声のストリーミングなど高い帯域幅を要求することを特徴とする請求項８に記載の方法。
【請求項１０】
前記携帯ネットワーク上の現在のトラヒック負荷に基づいて、識別された携帯電話の識別をするために徐々にサービスの禁止が実行されることを特徴とする請求項１乃至９の何れか一項に記載の方法。
【請求項１１】
選択された地理的エリア（１００）に位置する携帯電話をサービスする携帯ネットワークの容量を最適に利用すると共に、当該地理的エリアへ又は当該地理的エリアからのネットワークトラヒック、又は当該地理的エリアへ及び当該地理的エリアからの双方のネットワークトラヒックによって生じるヘビートラヒック負荷期間中に、ネットワークトラヒックを処理して当該携帯ネットワークの過負荷を防止する装置であって、
ａ）選択された地理的エリアの情報を受信するための第１の入力手段と、
ｂ）当該選択された地理的エリア（１００）並びに隣接エリア内でサービスしている当該携帯ネットワークの最大ネットワーク容量（２００）の概要を受信するための第２の入力手段と、
ｃ）当該携帯ネットワークでサービスされている当該選択された地理的エリア並びに隣接エリア内に位置付けられている携帯電話（３００）の識別結果の概要を受信し、前記携帯ネットワーク上で、識別された前記携帯電話（３００）によって生じる可能な最大トラヒック負荷を決定する第３の入力手段と、をさらに備え：
ｄ）前記携帯ネットワークの現在のトラヒック負荷（４００）に関するデータと共に、コール（音声）、ＳＭＳ及びデータストリーミングを行うために要求される帯域幅のネットワークデータアクティビティ（Ｄａｔａ  ａｃｔｉｖｉｔｙ）について異なる携帯サービスの各々のトラヒック負荷を受信する第４の入力手段と、
ｅ）手段ｃ）において前記第３の入力手段によって識別された前記携帯電話（３００）へ又は前記携帯電話から、又は、前記携帯電話へ及び前記携帯電話からの双方における当該異なる携帯サービスに対して禁止が設定又は解除（５３０）される場合、禁止の設定、解除は前記最大ネットワーク容量（２００）、決定された可能な最大トラヒック負荷、及び現在監視されているトラヒック負荷（４００）に基づいて、決定する手段と、
ｆ）特定の携帯電話に対する全てのネットワークサービスを遮断することなく、更にヘビーネットワーク負荷期間中に、前記携帯ネットワークに過負荷をかけることなく、前記携帯ネットワークの最大ネットワーク容量を利用するために、手段ｃ）において前記第３の入力手段によって識別された前記携帯電話（３００）について、当該異なる携帯サービスの１つ又は複数の禁止を設定（５５０）または禁止を解除（５４０）する手段と、を有する装置。
【請求項１２】
禁止されるべきでない優先付けられた携帯電話（３００）に関するデータを受信するための第５の入力手段をさらに備えていることを特徴とする請求項１１に記載の装置。
【請求項１３】
選択された地理的エリア（１００）内に位置する携帯電話をサービスする携帯ネットワークの容量の利用を最適に実行すると共に、当該地理的エリアへ又は当該地理的エリアからのネットワークトラヒック、又は当該地理的エリアへ及び当該地理的エリアからの双方のネットワークトラヒックによって生じるヘビートラヒック負荷期間中に、ネットワークトラヒックを処理して当該携帯ネットワークの過負荷を防止するシステムであって、
ａ）当該地理的エリア（１００）を選択するための手段と、
ｂ）当該選択された地理的エリア（１００）並びに隣接エリアをサービスしている当該携帯ネットワークの最大ネットワーク容量（２００）の概要を確立するための手段と、
ｃ）当該携帯ネットワークでサービスされている当該選択された地理的エリア並びに隣接エリア内に位置付けられている携帯電話（３００）の識別結果の概要を確立し、前記携帯ネットワーク上で、携帯電話（３００）によって生じる可能な最大トラヒック負荷を決定する前記携帯電話（３００）の概要を確立する手段と、をさらに備え：
ｄ）前記携帯ネットワークの現在のトラヒック負荷（４００）の概要と共に、コール（音声）、ＳＭＳ及びデータストリーミングを行うために要求される帯域幅のネットワークデータアクティビティ（Ｄａｔａ  ａｃｔｉｖｉｔｙ）について異なる各携帯サービスのトラヒック負荷を確立する手段と、
ｅ）前記確立する手段ｃ）において前記識別結果によって識別された前記携帯電話（３００）へ又は前記携帯電話から、又は、前記携帯電話へ及び前記携帯電話からの双方に対する当該異なる携帯サービスのために、禁止が設定又は解除（５３０）される場合、禁止の設定、解除は、前記確立された最大ネットワーク容量（２００）、決定された可能な最大トラヒック負荷、及び現在監視されているトラヒック負荷（４００）に基づいて、決定するロケーションベース禁止装置と、
ｆ）前記確立する手段ｃ）において前記識別結果によって識別された前記携帯電話（３００）について、当該異なる携帯サービスの1つ又は複数の禁止を設定（５５０）または禁止を解除（５４０）する携帯スイッチセンター（Ｍｏｂｉｌｅ Ｓｗｉｔｃｈｉｎｇ Ｃｅｎｔｒｅ）と、を備え、当該携帯スイッチセンターは前記携帯電話（３００）の識別結果を受信する入力手段を有し、当該ロケーションベース禁止装置によって決定され禁止（５５０）及び禁止のタイプが設定又は解除されるシステム。
【請求項１４】
禁止されるべきでない優先付けられた前記携帯電話（３００）の識別結果と共に優先付けられたデータベースをさらに備えていることを特徴とする請求項１３に記載のシステム。
【発明の詳細な説明】
【技術分野】
【０００１】
本発明は、特定の地理的エリアにいる人々に対して警告することに関する。具体的には、本発明は特定の選択された地理的エリア（ｇｅｏｇｒａｐｈｉｃａｌ ａｒｅａ）をカバーする携帯電話をサービスする携帯ネットワーク（ｍｏｂｉｌｅ  ｎｅｔｗｏｒｋ）の容量の利用を連続的かつ最適化する方法、装置及びシステムに関する。
【背景技術】
【０００２】
現代人は、数十年前に比べてより多くの脅威に晒されているものの、既存の効率的な警告方法と言えば、爆弾やミサイル攻撃などの戦争関連事態（ｗａｒ ｒｅｌａｔｅｄ ｓｃｅｎａｒｉｏｓ）で警告するために利用される警報機や鐘の旧式の技術である。このような方法では、気候変動による予測不能の気象状況、人口密度の高いエリアにおける交通量の増加、居住エリアの近くに存在する工業地帯、インフラの崩壊、テロの脅威の増加などに関連する緊急事態に対して、理論上警告するために使用できるとは考えられない。
【０００３】
しかしながら、人々を警告するために新しい技術を利用することやより良い方法を実施することに対する意識の高まりはある。
【０００４】
現在、欧州や米国内においては、人々に警告し保護するための新奇かつ効率的な方法に衆目が集まっているが、津波や地震などの自然の脅威に晒されることが多いアジア諸国においても、注目されるようになっている。様々なタイプの自然又は人為的危険を事前に検知・予知するシステム及び方法（例えば、全地球的環境安全モニタリング（ＧＭＥＳ）プログラム）の開発に何十億ユーロという資金が費やされている。予測監視システム（ｐｒｅｄｉｃｔｉｖｅ  ｍｏｎｉｔｏｒｉｎｇ  ｓｙｓｔｅｍ）の場合、危険に晒されている人々に警告できるものでなければ、その価値はほとんど無いに等しい。従って、人々に警報を発するための新奇かつ効率的な方法こそが、最も注目されている課題である。
【０００５】
完全な住民警報システム（ｐｏｐｕｌａｔｉｏｎ  ａｌｅｒｔｉｎｇ  ｓｙｓｔｅｍ）は、警告メッセージの伝達及び配布に際して多くのシステム及びチャネルを使用する必要があるが、携帯電話利用者に対して直接警報を発せられることが現在では好ましいとされ、それが最も効率的であるとみなされている。とはいえ、この警告方法は、特定エリア内での携帯電話をサービスするネットワークインフラストラクチャ（ｎｅｔｗｏｒｋ  ｉｎｆｒａｓｔｒｕｃｔｕｒｅ）上でヘビートラヒック負荷（ｈｅａｖｙ  ｔｒａｆｆｉｃ  ｌｏａｄ）が起こる場合において重要である。
【０００６】
携帯電話は、今や社会にとって重要な役割をカバーするサービスとなっており、これは重大な事態（ｃｒｉｔｉｃａｌ ｉｎｃｉｄｅｎｔ）の場合に住民への警報を発することも含まれている。このような場合の一般的な結果は、重大な事態のタイプ及び範囲に応じて、ネットワークトラヒック（ｎｅｔｗｏｒｋ ｔｒａｆｆｉｃ）が急増する。この理由は、情報を必要としている被災者と関係している。
【０００７】
通常時に電話をかけた場合と比べて、初期通話量は何倍にも増加することを測定値は示している。そのようなネットワークトラヒック内の増加は、急増されたネットワークトラフィクにおいて携帯ネットワークをサービスするエリアのインフラストラクチャに対して、深刻な影響をひき起こす要因となる場合がある。電話をかけた場合、その９０％以上が拒否されることも珍しいことではない。極端な場合、ネットワークをサービスしているインフラストラクチャのコアシステム（ｃｏｒｅ ｓｙｓｔｅｍ）の中核部、例えばホームロケーションレジスタ（ＨＬＲ）が破損（ｈｉｔ）する。これは、地理的エリアに影響をおよぼし、さらにネットワークトラヒックと共にエリアを超えて広がり、その結果、サービスの品質の低下又はサービスの完全な欠如をもたらす可能性がある。
【０００８】
過負荷が起こる要因は、携帯ネットワークが通常の状況において最も利用される場合の実利的な原則に基づいて容量が決められているからである。ネットワークの利用の際には、数百パーセントの問題と共にこの容量を超える問題が発生し、もし公衆通信を制限するために全く計測が行わなければ、重要なコミュニケーションに有用でない不安定なネットワークになる。
【０００９】
国々で集団の規模が異なるので、個々にＬＢＡＳ（ロケーションベース警報サービス（Ｌｏｃａｔｉｏｎ  Ｂａｓｅｄ  Ａｌｅｒｔ  Ｓｅｒｖｉｃｅ））を設定する必要がある。例えば、小規模な国では、最適化メッセージ配信部（Ａ-ＳＭＳＣ）がなくてもドリフトさせておけばよく、中規模な国では、既存の複数のＡ−ＳＭＳＣにスロットル制御を用いて解決できる中間手段がある。大規模の人口を有する国では、高い容量を有する複数のＡ−ＳＭＳＣが必要である。
【００１０】
効果的な警告は命を救う可能性があるために、住民への警告など重要なサービスが脆弱であったり、重度の事故の際に故障したりしてはならない。
【００１１】
携帯電話利用者に対して安全に効率的に警報を発するという課題に対して、過負荷と効率の点で十分に解決されるに至っていない。先行技術文献に記載の本発明と何らかの類似性を持つシステムでは、警告メッセージも他の通話及びネットワークトラヒックと同じように、携帯ネットワーク内の既存の環境と装置を通る必要があり、そのために多くの警告メッセージを同時配信する際に、システムを過負荷の危険に晒す恐れがある。
【００１２】
緊急事態の発生したエリア内では、過負荷が起こることがこれまでの経験から分かっている。同時に大量のメッセージを送ると、ネットワークが不安定になり、ネットワークが遅くなる確率が高くなる。ネットワーク全体の故障が生じる場合もある。
【００１３】
これは、特定の地理的エリアにいる携帯電話利用者に対して、できるだけ早く効率的にできるだけ多くの警告メッセージを送信するという目的から言っても非常に不都合な事態である。
【発明の概要】
【発明が解決しようとする課題】
【００１４】
本発明は、先行技術よりも改良された解決策を示し、ネットワークに過負荷による故障が生じることなく、高速かつ効率的な警報を出すことを目的とする。
【課題を解決するための手段】
【００１５】
本発明は、特定の選択された地理的エリアをカバーし、携帯電話をサービスする携帯ネットワークの容量の利用を連続的かつ最適化する方法によって規定される。エリアへ及び／又は当該エリアからヘビーネットワークトラヒック期間中のネットワークトラヒックに対して当該携帯ネットワークに過負荷をかけることなく適切に対処できることを目的とする。本発明の方法は、
ａ）当該選択された地理的エリア及び隣接エリアをサービスしている当該携帯ネットワークの最大ネットワーク容量の概要を確立するステップと、
ｂ）当該携帯ネットワークによってサービスされている当該選択されたエリア並びに隣接エリア内に位置付けられた関連のある前記携帯電話の識別結果の概要を確立し、前記携帯ネットワーク上で、可能な最大トラヒック負荷を決定する前記携帯電話の識別の概要を確立するステップと、
ｃ）当該携帯ネットワーク上でサービスされている携帯電話の当該現在のトラヒック負荷の監視を実行するステップと、
ｄ）当該最大ネットワーク容量、当該可能な最大トラヒック負荷、及び現在のトラヒック負荷に基づいて、選択された関連の携帯電話へ及び／又は選択された関連のある携帯電話からのネットワークトラヒックを実行又は解除するために、当該携帯サービスの1つ又は、複数の禁止するタイプを選択するステップと、
ｅ）ヘビーネットワークトラヒック期間中に前記ネットワークに過負荷をかけることなく、前記ネットワークの最大容量を利用するために、当該携帯ネットワークによってサービスされている当該選択された携帯電話の禁止の連続的設定又は禁止の解除を実行するステップと、を含んで成る。
【００１６】
本発明のさらなる方法の特徴は、従属請求項に示される。
【００１７】
また、本発明は、特許請求の範囲に示されているような上述の方法を実施する装置及びシステムによって特徴づけられる。
【図面の簡単な説明】
【００１８】
【図１】方法のステップの概要を示している。
【図２】禁止のタイプを選択するための禁止のプロセスの詳細を示している。
【図３】本発明の方法を２Ｇ／３Ｇネットワーク内で実施させた場合の動作について説明をしている。
【発明を実施するための形態】
【００１９】
次に、添付図面を参照しながら本発明をより詳細に説明する。
【００２０】
携帯ネットワークの容量を最適に利用するには、当該エリアへ及び／又は当該エリアからヘビーネットワークトラヒック期間中に、ネットワークトラヒックを処理して携帯ネットワークの過負荷を防止することが特に重要である。
【００２１】
過負荷が起こる一般的な状況は、多くの人々に影響を与える可能性があるエリア内で事態が発生した場合である。これは、例えば、地震、津波や洪水などの自然災害の場合である。また、例えば、ガス漏れ及び爆発のような人工災害の場合である。
【００２２】
このような場合には、被災者に通知及び警告することは極めて重要である。同時に特定の地理的エリアに滞在する携帯電話の複数のユーザへ効率的な警報を発するために情報の送信を行う必要がある。
【００２３】
そのような警告メッセージを送信することは、情報を必要としている心配な人々が被災地からの電話又はメッセージを送ることにより、エリアからのネットワークトラヒックの増加が予期される。
【００２４】
当該特定エリア内のネットワークに過負荷をかけることなく、このような状況に最適な方法で対処するために、本発明は、いくつかのステップで方法を実行するシステムを備えている。
【００２５】
図１は、特定の選択された地理的エリアをカバーする携帯電話をサービスしている携帯ネットワークの容量を連続的かつ最適に利用するための本発明の方法を含むステップの概要を示している。
【００２６】
最初に１つ又は複数の特定エリア１００が選択されなければならない。以下、サービスしている携帯ネットワークの容量が最適に利用されているエリアをエリア又は特定エリアと呼ぶ。
【００２７】
実行するための一実施形態では、システムの事業者（オペレータ）には、当該エリアを選択することが可能な情報を含む地図が表示される。特定エリアは、通常、画面に映し出された地図から、例えば、多角形又は円のエリアをマークすることによって選択される。
【００２８】
マップを表示するコンピュータは、ロケーションベース禁止コンポーネント（Ｌｏｃａｔｉｏｎ Ｂａｓｅｄ Ｂａｒｒｉｎｇ Ｃｏｍｐｏｎｅｎｔ（ＬＢＢＣ））に接続されており、選択されたエリアをカバーする携帯ネットワークのセルを特定できる。特定されたセルに接続された携帯電話に基づいて、エリア内にいる人々が表示され、事業者は、当該人々に対して必要な情報を送ることができる。このようなシステムは、送信された警告メッセージに対して応答者から情報や要求を受信することも可能である。この方法は、警告が送られたエリアに滞在している異なる人物の状況を表示することも考えなくてはならないが、本発明の特許請求の範囲ではない。
【００２９】
本発明のステップａ）は、特定のエリアを選択した後で、地理的エリア及び隣接エリアをサービスしている携帯ネットワークの最大ネットワーク容量２００の概要を確立する。エリアにサービスする携帯ネットワークのインフラストラックチャが選択されることに基づいてエリアを識別できる。選択されたエリアにサービスする様々なネットワークコンポーネントは、エリア内又はエリア外、又は選択されたエリアの両内側と外側に設けることが可能である。
【００３０】
最大ネットワーク容量を決定することは、ネットワークに過負荷をかけることなく、選択されたエリアにサービスする携帯ネットワーク容量の利用を連続的に最適化させるには不可欠である。
【００３１】
ステップｂ）は、当該携帯ネットワークによってサービスされている当該選択されたエリア並びに隣接エリア内に接続された関連のある携帯電話（３００）の識別結果（ｉｄｅｎｔｉｔｙ）の概要を確立する。これは、選択されたエリアをサービスしている携帯ネットワーク上で、可能な最大トラヒック負荷を決定する携帯電話の概要を確立する。
【００３２】
通常は、各々接続された電話がネットワーク上で最大負荷が生じている最悪のケースの事態に基づいて、可能なトラヒック負荷を決定する。
【００３３】
携帯電話にリンクされている人物の識別結果は、彼らの携帯電話内のＳＩＭカード上のＭＳＩＳＤＮ番号に関連付けられている。
【００３４】
ネットワーク上の総トラヒック負荷は、様々なサービスのタイプに依存し、ネットワークを介して配信され、異なるネットワーク負荷に影響を与えている。本発明の一態様は、従って、選択されたエリアにサービスするネットワーク容量の最適利用のためにネットワークトラヒックの異なるタイプを区別し、特定の携帯電話に対する全てのネットワークサービスを遮断させないことを可能にすることである。
【００３５】
次のステップｃ）の方法では、当該携帯ネットワーク上でサービスされている携帯電話の現在のトラヒック負荷の監視４００を連続的に実行する。ネットワークを介してタイプの異なるサービスを監視できる。これらのサービスは、音声、ＳＭＳメッセージ、及び異なるネットワークデータアクティビティ（Ｄａｔａ ａｃｔｉｖｉｔｙ）の読み込みも含んでいる。データアクティビティとは、ネットワークサービスのタイプであり、ネットワーク上で最も高いトラヒック負荷を生成する。これは、例えばビデオのストリーミング等、特に一定の高い帯域幅を必要とするデータのストリーミングに適用されている。
【００３６】
特定の選択された地理的エリアで携帯電話をサービスしている携帯ネットワークの容量を連続的かつ最適な利用を実行する場合、ステップｃ）は、連続的調整の最適化を実行するために、以下の禁止手順の開始とリターンステップを行う。
【００３７】
まず、トラヒック負荷がネットワーク５００の容量を超えているかが決定される。
【００３８】
もし、総トラヒック負荷がネットワークの最大容量を下回ることが判明した場合、禁止セットが５１０を解除することが可能なのかを確認する。この決定は、現在のトラヒック負荷がネットワーク最大容量にどれだけ近いのかに基づいている。トラヒック負荷が最大容量をかなり下回る場合には、例えば１０％以下なら禁止の設定５４０を解除する。下回らない場合には、現在のトラヒック負荷４００の連続的な監視のためにステップｃ）に再度入る。
【００３９】
もし、総トラヒック負荷がネットワークの最大容量を上回ることが判明した場合には、ステップｄ）に入る。
【００４０】
ステップｄ）は、どの禁止のタイプで５３０を実行するのかを決定する。つまり、最大ネットワーク容量、可能な最大トラヒック負荷、及び現在監視されているトラヒック負荷に基づいて選択された関連のある携帯電話へ及び／又は選択された関連のある携帯電話から、１つ又は複数の携帯電話サービスを精選しながら禁止を行う。
【００４１】
理想的には、全ての携帯電話サービスを禁止することは望ましくないが、ネットワークの容量が制限される最中は、必要になる場合がある。これは、例えば、上で述べたようなエリア内で突然起こった緊急事態のような特殊な状況下の場合である。
【００４２】
予想されるトラヒック負荷の増大と最大ネットワーク容量に近いネットワーク上のトラヒック負荷に到達する前に基づき禁止を開始させてもよい。例えば、エリア内で緊急事態が発生した場合、直ぐに禁止を開始させることが望ましく、また、前もって当該エリアの居住者達へ警告メッセージを送っておくことが望ましい。もし、禁止のタイプを選択した場合、警報を発している最中は、現在の負荷の状態に応じて連続的に評価及び実施が行われる。
【００４３】
一部の電話は、禁止からできるようにしても良い。このような電話は、通常、緊急事態の際に支援するために専用の担当者に繋がるようになっている。これらの識別情報は、リスト５２０に保存されている。携帯電話を識別するために選択された電話の禁止の特殊タイプが実行される場合(５３０)、リストを確認し、リストに含まれている電話を禁止から除外する。
【００４４】
総ネットワーク負荷とは、音声、データ及びＳＭＳなど様々なネットワークサービスの全体のことである。これらのサービスを監視又はネットワークの負荷が行われているサービスに基づいて禁止を選択してもよい。
【００４５】
図２は、どのサービスの選択方法が禁止されるのか示しており、つまりその決定は、ステップ５３０と５５０の間で行われる。
【００４６】
一次パラメータ制御タイプ及び禁止程度が最大ネットワーク容量になる。  様々なサービスの選択の１つ又は複数の禁止は、当該選択されたエリア内に設けられた関連のある携帯電話のために実施できる。
【００４７】
本発明の一実施形態では、エリア内の携帯電話へネットワークトラヒックを生成するサービスを禁止させることができる。別の実施形態では、エリア内の携帯電話からネットワークトラヒックサービスを生成するサービスを禁止させることができる。さらに、別の実施形態では、エリアに対して及び／又はエリアからネットワークトラヒックを生成するサービスを禁止できる。
【００４８】
同じことは、当該選択されたエリアにサービスされているのと同じネットワーク上にネットワークトラヒックが生成されている隣接エリア内にサービスしている電話に対しても適用され、つまり、選択されたエリアに隣接するエリア内の関連のある携帯電話に対して及び／又は選択されたエリアに隣接するエリア内の関連のある携帯電話から選択された禁止のタイプを実行できる。
【００４９】
一実施形態の方法では、ネットワークをサービスするエリアの負荷は、当該選択されたエリア内及び当該選択されたエリアに隣接するエリアの双方に位置付けられた関連のある携帯電話へ、及び／又は、当該選択されたエリア内及び当該選択されたエリアに隣接するエリアの双方に位置付けられた関連のある携帯電話から、サービスを禁止することによって実行される。
【００５０】
前述の通りＬＢＢＣは、ロケーションベース警報サービス（ＬＢＡＳ）などのツールを利用できるようになっており、どのセルが選択されたエリアをカバーするのかを識別するのと同様に加入者はセルに接続されている。最低でも、このデータベースは、ＭＳＩＳＤＮと対応するセルＩｄを含んでいる。禁止が実行される加入者の資格は、選択されたエリアをカバーするリストからセルＩｄに対応する加入者に対して、そのセルＩｄを検証することによって遂行される。
【００５１】
長期間の電話サービスの禁止を防止するために、関連のある識別された電話の本発明の一実施形態では、少なくとも二つのグループに分けられ、選択されたネットワークサービスは、タイムインターバル（ｔｉｍｅ  ｉｎｔｅｒｖａｌ）で設定した時間に一つのグループに対する禁止を行うことが可能である。
【００５２】
エリアへ及び／又はエリアからトラヒックの出力及び／又は入力を禁止することが必要な時は、ネットワークサービスを徐々に禁止させることを実行できるようにしてもよい。例えば、ヘビーネットワークトラヒック期間中の限られた時間において各々のグループが一部又は全てのネットワークサービスにアクセスしている場合、ネットワークサービスの禁止がタイムインターバルで設定されたグループ間を循環できるようにしてもよい。
【００５３】
上で述べた携帯ネットワーク上のデータアクティビティは、音声とＳＭＳに比べてネットワーク負荷や帯域幅に関してさらに要求が厳しい。従って、本発明の好ましい一実施形態は、ストリーミング（ｓｔｒｅａｍｉｎｇ）のような高い帯域幅を要求するサービスと共にデータトラヒックのみが禁止されてもよい。
【００５４】
別の実施形態では、全てのストリーミングが禁止されてもよい。
【００５５】
本発明の方法の最後のステップｅ）で禁止を実行し、つまり、ヘビーネットワークトラヒック期間中にネットワークに過負荷をかけることなく、ネットワークの最大容量を利用するために、当該携帯ネットワークによってサービスされている当該選択された携帯電話の連続的に選択された禁止(５５０)のタイプを実行する。
【００５６】
前に述べたステップによって、ネットワーク上の総トラヒック負荷の概要及び様々なネットワークトラヒックの各々のトラヒック負荷をもたらした結果に基づきながら、禁止のタイプを選択することを実施又は実行できる。この結果に基づいて、トラヒック負荷に最も寄与したネットワークサービスは、禁止が優先的に実施されている時に、全て又は選択された携帯電話のために禁止できる。
【００５７】
禁止を優先すべき場合とは、優先付けられている携帯電話が禁止から除外された時である。これは、特定の関連のある携帯電話のために優先タグを設けることによって実施されてもよく、ＭＳＩＳＤＮ番号に対応する優先付けられた携帯電話が禁止されてはならないことをそのタグは示している。
【００５８】
多くの人に影響を与えるようなエリア内で事態が起こった時など、ヘビーな負荷又は極端な負荷が生じている期間中に禁止が連続的に実施されていることが好ましい。禁止が実行されている時は、現在のトラヒック負荷及び総ネットワーク容量に基づいて徐々に実施されるのが望ましい。ネットワーク上のトラヒック負荷が最大容量に近い時は、禁止される容量が増加する。同様に、トラヒック負荷が最大容量以下であれば、禁止される容量が減少する。
【００５９】
これらの限界を定義する値は、方法を実行する前に設定できる。一実施形態では、これらの値は、ＬＢＢＣ内の事業者によって設定できる。
【００６０】
この方法は理想的には、最適なネットワーク容量をヘビーネットワークトラヒックがある時に連続的に利用できるように実施されてもよい。
【００６１】
本発明はまた、禁止コンポーネント（ＬＢＢＣ）つまり、特定の選択された地理的エリアをカバーする携帯電話をサービスする携帯ネットワークの容量の利用を連続的かつ最適に実行する装置であって、当該エリアへ及び／又は当該エリアからヘビーネットワークトラヒック期間中のネットワークトラヒックに対して当該携帯ネットワークに過負荷をかけることなく適切に対処できる装置の位置に基づいて定義づけられる。
【００６２】
一実施形態では、装置がタッチスクリーン（ｔｏｕｃｈ ｓｃｒｅｅｎ）のような当該地理的エリアを選択するための手段に接続されてもよい。
【００６３】
別の実施形態では、当該地理的エリアを選択する手段を装置自体に含んでもよい。
【００６４】
これらの実施形態のいずれにおいても、事業者は、特定のエリアを選択することが可能な情報を含む地図を表示できる。
【００６５】
グラフィカルユーザインターフェース上（ｇｒａｐｈｉｃａｌ ｕｓｅｒ ｉｎｔｅｒｆａｃｅ）にズーム（ｚｏｏｍｉｎｇ）機能及びパン（ｐａｎｎｉｎｇ）機能があれば、特定のエリアを容易に見つけることが可能になる。ユーザは、本発明に係るネットワーク制御に該当するエリアをクリックすると、ユーザは、国／エリアに滞在している携帯電話に繋がっている人の数を表示できる。
【００６６】
装置は、選択された地理的エリアを受信するための入力手段を備えている。
【００６７】
さらに装置は、当該携帯ネットワークによってサービスされる当該選択された地理的エリア並びに隣接エリア内に位置付けられた関連のある前記携帯電話の識別結果の概要を確立し、前記携帯ネットワーク上で、可能な最大トラヒック負荷を決定する入力手段備えている。
【００６８】
当該選択された地理的エリア及び隣接エリア内に位置している関連のある携帯電話の識別は、プローブを利用することによって、例えば、ＧＳＭ（登録商標）ネットワーク内のＡインターフェエース上のＢＳＣとＭＳＣとの間で見つけることが可能である。これは、位置情報を含む問い合わせを識別する。この情報は、データベースを更新するために使用され、本発明の装置のために中に含む又はアクセス可能になっている。データベースには、ＭＳＩＳＤＮ番号に関連付けられたそれぞれの人物が最後に訪問した国／国の地域、ＭＳＩＳＤＮ、日時が含まれる。当該プローブを介して利用することにより、データベースは、海外に滞在している人物について更新された情報を全時間含むことが可能になり、プローブが海外の事業者から関連するＭＳＩＳＤＮ番号について問い合わせが検出された場合、その更新された位置情報とＭＤＩＳＤＮ番号を含む登録がデータベースに追加され、新たに検出されたエリア又は国からの新たな問い合わせとして記録は連続的に更新されていく。プローブが問題のＭＳＩＳＤＮ番号に関連付けられている人物を選択したエリアから離れたことが検出された場合は、既存の登録データから解除される。
【００６９】
携帯ネットワーク上で可能な最大のトラヒック負荷を決定するために、当該携帯ネットワークによって選択されたエリア内と隣接エリア内との間をサービスする位置に設けられた関連する携帯電話の識別の概要を確立するために利用される技術は、従来技術とみなされるため、従ってここでは説明は省略する。
【００７０】
選択されたエリア内の人物の数は、グラフィカルユーザインターフェース上に表示されても良い。これに基づいて、例えば事業者は禁止のタイプを使用するなど最適な動作を行うことができる。
【００７１】
さらに装置は、選択されたエリアをサービスする当該携帯ネットワークの最大ネットワーク容量の概要を確立するための手段を備えても良い。装置は、このようにネットワーク容量に関するデータを受信するための入力手段を備えている。
【００７２】
また装置は、選択されたエリアをサービスする当該携帯ネットワーク上の携帯をサービスする現在のトラヒック負荷の概要を確立するための手段を備えている。即ち、装置は、現在のトラヒック負荷に関するデータを受信するための入力手段を備えている。
【００７３】
もしＨＬＲ上の要求が設定レベルを超えるまで上昇した場合、現在のトラヒック負荷は、ネットワーク容量を超えていると考えることができる。
【００７４】
さらに装置は、当該可能な最大トラヒック負荷、当該最大ネットワーク容量、及び当該現在のトラヒック負荷に基づいて関連のある当該携帯電話へ及び／又は関連のある当該携帯電話から携帯サービスの１つ又は、複数の禁止を決定するロケーションベース禁止手段（禁止装置）を備えている。さらに装置は、禁止されるべきでない優先付けられた携帯電話に関するデータを受信するための入力手段を備えている。
【００７５】
ロケーションベース禁止手段は、上記の本発明の方法を実施できる。
【００７６】
さらに装置は、携帯交換センター（Ｍｏｂｉｌｅ Ｓｗｉｔｃｈｉｎｇ Ｃｅｎｔｒｅ）に禁止する制御信号を出力する出力手段を備えている。識別された携帯電話へ及び／又は識別された携帯電話から選択された携帯電話のサービスを禁止する当該信号の制御の有効化及び無効化及び装置（ＬＢＢＣ）によって禁止のタイプを決定することができる。
【００７７】
本発明の装置（ＬＢＢＣ）は、ヘビーネットワークトラヒック期間中にネットワークに過負荷をかけることなく、ネットワークの最大容量を制御及び利用するための重要なコンポーネントとなっている。
【００７８】
さらに本発明は、特定の選択された地理的エリアをカバーする携帯電話をサービスする携帯ネットワークの容量の利用を連続的かつ最適に実行するシステムであって、当該エリアへ及び／又は当該エリアからヘビーネットワークトラヒック期間中に当該携帯ネットワークに過負荷をかけることなく適切に対処できることを目的とするシステムについて説明をする。
【００７９】
前述した通り、ＬＢＢＣはシステムに含まれている重要なコンポーネントとなっている。
【００８０】
システムは、当該地理的エリアを選択するための手段と、当該携帯ネットワークによってサービスされる当該選択された地理的エリア並びに隣接エリア内に位置付けられた関連のある携帯電話の識別結果の概要を確立し、前記携帯ネットワーク上で、可能な最大トラヒック負荷を決定する手段と、を備えている。
【００８１】
さらにそれは、当該エリアをサービスする当該携帯ネットワークの最大ネットワーク容量の概要を確立するための手段を備え、当該携帯ネットワーク上の携帯をサービスする現在のトラヒック負荷の概要を確立するための入力手段と、を備えている。
【００８２】
これらのいくつかの手段は、当該ＬＢＢＣ装置に含まれても良く、当該可能な最大トラヒック負荷、当該最大ネットワーク容量、及び当該現在のトラヒック負荷に基づいて関連のある当該携帯電話へ及び／又は関連のある当該携帯電話から１つ又は複数の携帯電話サービスの禁止のタイプを決定するシステムが装置内に含まれている。
【００８３】
一実施形態によれば、さらにシステムは、禁止されるべきでない優先付けられた携帯電話の識別と共に優先データベースを備えている。
【００８４】
またシステムは、識別された携帯電話へ及び／又は識別された携帯電話から選択された携帯電話サービスの有効化と無効化によって携帯交換センターの禁止を実行し、当該交換センターは、禁止されるべき携帯電話の識別結果を受信するための入力手段を有し、禁止装置に基づく当該位置によって禁止のタイプの決定をすることを備えている。
【００８５】
図３は、本発明の方法が２Ｇ／３Ｇネットワークで実施された場合の動作方法について例示している。ネットワークの構成内の重要な装置は、選択されたエリア内の電話サービスのためにロケーションベースコンポーネント（ＬＢＢＣ）の禁止を制御、設定及び解除することであり図の中に被災したエリアを示している。
【００８６】
ＬＢＢＣは、事業者が禁止方法を実行するサイトに設けられている。この例では、ＬＢＢＣは禁止されるべきでないＭＳＩＳＤＮの複数のＩＤを含む優先データベース（優先Ｄｂ）に接続されている。さらにＬＢＢＣは、ロケーションベース警告サービス（ＬＢＡＳ）と選択されたエリア内の全ての加入者の更新された情報を含むデータベースに接続されている。
【００８７】
さらにＬＢＢＣは、ビジターロケーション登録（Ｖｉｓｉｔｏｒ Ｌｏｃａｔｉｏｎ Ｒｅｇｉｓｔｅｒ（ＶＬＲ））へ接続されている。ＶＬＲは、国家のデータベースを格納している。データ形式ＶＬＲは、ＬＢＢＣによって制御されながら禁止を実施する携帯交換センター（ＭＳＣ）に入力される。
【００８８】
禁止を実施する前に、以下の情報は知られてなければならなく、さらに以下の動作を実行する必要がある：
−エリア又は禁止が実施されるエリアの概要を構築する。事業者は、通常、画面上のエリアをマークすることによってこれを選択する。 
−選択されたエリア内の複数の人物の概要を確立する。これは、ＬＢＡＳデータベースから取得できる。 
−禁止から除外されるべき複数の人物の概要を確立する。これは、優先Ｄｂデータベースから取得できる。
【００８９】
このＬＢＢＣに基づいて、禁止データをサービス装置へ出力され、この場合、ＶＬＲは、携帯電話へ及び携帯電話から携帯トラヒックへ制御するＭＳＣへ入力データを提供する。
【００９０】
下記は、被災地へ及び／又は被災地からヘビーネットワークトラヒック期間中におけるネットワークトラヒックの連続的に最適な処理が実行される簡単な事態を例示する。
【００９１】
通話１（点線）は、一般ユーザによって被災地から一般ユーザへ通話を呼出していることを示す。両当事者とも一般ユーザであるため、通話は拒否され、つまり、禁止される。
【００９２】
通話２は、優先ユーザによって被災地から一般ユーザへ通話を呼出していることを示す。通話は受け付けられ、つまり、禁止されない。
【００９３】
通話３は、優先ユーザによって被災地の外側から被災地内の一般ユーザへ通話を呼出していることを示す。通話は受け付けられ、つまり、禁止されない。
【００９４】
この例では、禁止するメカニズムを説明している。実際の事態では、本発明は、自動かつ連続的な禁止の異なるタイプ、例えばデータ、音声、ＳＭＳを特定の被災地にネットワークコンポーネントをサービスする現在の負荷に応じて設定及び解除が確保される。
【００９５】
本発明の禁止を実施する事業者は、ほとんどのケースでは、エリア内の人物の期待数の概要を過去のデータにアクセスすることで示すことができる。これに基づいて、禁止が開始された時、ＬＢＢＣ内において禁止ルールの設定を実施できる。ＬＢＢＣシステムの事業者によって禁止ルールのデフォルトは変更できる。もし検出されたエリア内の携帯電話の数が過去のデータより高いような場合がこの場合である。禁止ルールは、サービスのタイプを禁止することや通話の受信及び／又は通話の発信することや電話を禁止から解除されることなどを含むことができる。
【００９６】
本明細書に開示された異なるエリアは、ロケーションベース警告サービスを区別されるようにセットアップする必要がある。大きな人口を有するエリアや国のためには、スロットル制御と警告サービスを提供することが重要である。
【００９７】
本発明の禁止を実施するＬＢＢＣ及び方法は、新しい発明の方法でこれを提供する。
【００９８】
本明細書に開示したＬＢＢＣから理解されるように、コンポーネント内のシステムは、監視されているトラヒック負荷に基づいて異なるサービスの禁止によってネットワークトラヒックの方法の最適化を実行していることが重要である。
【図１】
0006276295.tif 000002
【図２】
0006276295.tif 000003
【図３】
0006276295.tif 000004